(57)【要約】      （修正有）【課題】薬剤の使用量を抑制すると共に汚泥の発生量を抑制し、且つ、更に別の処理が必要とされる排水が処理に伴って発生することなく、その上運用コストの増加を抑制しつつ、たとえ高濃度であってもホウ素含有水のホウ素を良好な除去率で除去することができる脱硫排水の処理方法及び処理システムを提供する。【解決手段】石炭燃焼排ガスの脱硫処理に伴って排出される脱硫排水が供給される反応槽と、当該反応槽において薬剤が添加された前記脱硫排水が導入される沈殿槽とを有し、前記反応槽において前記脱硫排水に過酸化水素が添加され、前記反応槽において生成される析出物を前記沈殿槽において固液分離する脱硫排水の処理方法。前記過酸化水素が脱硫排水中のホウ素に対するモル比で１．０％以上となる様に添加し、カルシウム塩が脱硫排水中のホウ素に対するモル比で１．０以上となる様に添加する脱硫排水の処理方法。【選択図】なし【特許請求の範囲】
【請求項１】
石炭燃焼排ガスの脱硫処理に伴って排出される脱硫排水に過酸化水素が添加されて生成される析出物が固液分離されることを特徴とする脱硫排水の処理方法。
【請求項２】
前記脱硫排水にカルシウム塩が更に添加されることを特徴とする請求項１記載の脱硫排水の処理方法。
【請求項３】
前記脱硫排水に水酸化物が更に添加されることを特徴とする請求項１記載の脱硫排水の処理方法。
【請求項４】
前記過酸化水素が、前記脱硫排水中のホウ素に対するモル比で１．０以上になるように添加されることを特徴とする請求項１記載の脱硫排水の処理方法。
【請求項５】
前記カルシウム塩が、前記脱硫排水中のホウ素に対するモル比で１．０以上になるように添加されることを特徴とする請求項２記載の脱硫排水の処理方法。
【請求項６】
前記カルシウム塩として石炭燃焼排ガスの脱硫処理に伴って排出される石膏が用いられることを特徴とする請求項２記載の脱硫排水の処理方法。
【請求項７】
前記脱硫排水にカルシウムが溶存している状態で、前記カルシウム塩として水酸化カルシウム及び／又は水に溶解して水酸化カルシウムになる成分が添加されることを特徴とする請求項２記載の脱硫排水の処理方法。
【請求項８】
前記カルシウムが前記脱硫排水中のホウ素に対するモル比で０．４以上溶存している状態にされることを特徴とする請求項７記載の脱硫排水の処理方法。
【請求項９】
前記水酸化物が、前記脱硫排水のｐＨが９以上になるように添加されることを特徴とする請求項３記載の脱硫排水の処理方法。
【請求項１０】
石炭燃焼排ガスの脱硫処理に伴って排出される脱硫排水が供給される反応槽と、当該反応槽において薬剤が添加された前記脱硫排水が導入される沈殿槽とを有し、前記反応槽において前記脱硫排水に過酸化水素が添加され、前記反応槽において生成される析出物が前記沈殿槽において固液分離されることを特徴とする脱硫排水の処理システム。
【請求項１１】
前記脱硫排水にカルシウム塩が更に添加されることを特徴とする請求項１０記載の脱硫排水の処理システム。
【請求項１２】
前記脱硫排水に水酸化物が更に添加されることを特徴とする請求項１０記載の脱硫排水の処理システム。
【請求項１３】
前記過酸化水素が、前記脱硫排水中のホウ素に対するモル比で１．０以上になるように添加されることを特徴とする請求項１０記載の脱硫排水の処理システム。
【請求項１４】
前記カルシウム塩が、前記脱硫排水中のホウ素に対するモル比で１．０以上になるように添加されることを特徴とする請求項１１記載の脱硫排水の処理システム。
【請求項１５】
前記カルシウム塩として石炭燃焼排ガスの脱硫処理に伴って排出される石膏が用いられることを特徴とする請求項１１記載の脱硫排水の処理システム。
【請求項１６】
前記脱硫排水にカルシウムが溶存している状態で、前記カルシウム塩として水酸化カルシウム及び／又は水に溶解して水酸化カルシウムになる成分が添加されることを特徴とする請求項１１記載の脱硫排水の処理システム。
【請求項１７】
前記カルシウムが前記脱硫排水中のホウ素に対するモル比で０．４以上溶存している状態にされることを特徴とする請求項１６記載の脱硫排水の処理システム。
【請求項１８】
前記水酸化物が、前記脱硫排水のｐＨが９以上になるように添加されることを特徴とする請求項１２記載の脱硫排水の処理システム。
【発明の詳細な説明】
【技術分野】
【０００１】
本発明は、脱硫排水の処理方法及び処理システムに関する。さらに詳述すると、本発明は、例えば石炭火力発電所において排出される脱硫排水の処理に用いて好適な技術に関する。
【背景技術】
【０００２】
石炭火力発電所では石炭燃焼排ガスに対して脱硫装置によって脱硫処理が行われるところ、脱硫装置から排出される脱硫排水中に、石炭に含まれるホウ素に起因してホウ素（具体的には、オルトホウ酸［Ｈ3ＢＯ3］などのホウ素化合物）が高濃度で含まれる場合がある。そして、排水については、陸域に関しては１０〔ｍｇ−Ｂ／Ｌ〕以下、海域に関しては２３０〔ｍｇ−Ｂ／Ｌ〕以下でなければならないとするホウ素排出基準がある。ここで、多くの火力発電所は臨海地域に立地するので、脱硫排水中のホウ素を除去して海域の排水基準である２３０〔ｍｇ−Ｂ／Ｌ〕以下まで低減させるように処理する技術が有用である。
【０００３】
例えば石炭火力発電所から排出される脱硫排水のようなホウ素含有水を処理する従来の方法として、ホウ素含有水をアルミニウム化合物及びカルシウム化合物の存在下にｐＨ９以上に調整して析出物を分離する第一の工程と、第一の工程の分離液を濃縮することなくアルミニウム化合物及びカルシウム化合物の存在下にｐＨ９以上に調整して析出物を分離する第二の工程とによってホウ素を除去するものがある（特許文献１）。
【０００４】
ホウ素含有水を処理する従来の方法として、また、例えばＮ−メチルグルカミン型のホウ素吸着樹脂を用いてホウ素を吸着させて除去するものや、逆浸透膜を用いてホウ素をろ過して除去するものがある。
【先行技術文献】
【特許文献】
【０００５】
【特許文献１】特開２００１−１８７３８６号公報
【発明の概要】
【発明が解決しようとする課題】
【０００６】
しかしながら、例えば特許文献１の処理方法のように硫酸アルミニウムなどのアルミニウム化合物や水酸化カルシウムなどのカルシウム化合物を添加してホウ素を凝集させ沈殿させて分離する方法では、ホウ素の除去効率が低いために多量の薬剤を使用する必要があるという問題があり、また、処理に伴って大量の沈殿物（即ち、汚泥）が発生するという問題がある。
【０００７】
また、ホウ素吸着樹脂を用いる方法では、吸着樹脂が高価であるという問題があり、また、高濃度のホウ素含有水を処理する場合に特に樹脂の再生頻度（即ち、洗浄頻度）が増加するという問題や、樹脂の再生に伴って発生する高濃度排水を更に別に処理する必要があるという問題がある。
【０００８】
また、逆浸透膜を用いる方法では、ホウ素含有水のｐＨが中性付近の場合に特にホウ素除去率が低いという問題があり、また、処理に伴って発生する濃縮排水を更に別に処理する必要がある（そして、排水を全量処理することはできない）という問題や、膜の目詰まり抑制のための維持・管理コストが増加するという問題がある。
【０００９】
そこで、本発明は、薬剤の使用量を抑制すると共に汚泥の発生量を抑制し、且つ、更に別の処理が必要とされる排水が処理に伴って発生することなく、その上運用コストの増加を抑制しつつ、たとえ高濃度であってもホウ素含有水のホウ素を良好な除去率で除去することができる脱硫排水の処理方法及び処理システムを提供することを目的とする。
【課題を解決するための手段】
【００１０】
かかる目的を達成するため、本発明の脱硫排水の処理方法は、石炭燃焼排ガスの脱硫処理に伴って排出される脱硫排水に過酸化水素が添加されて生成される析出物が固液分離されるようにしている。
【００１１】
本発明の脱硫排水の処理システムは、石炭燃焼排ガスの脱硫処理に伴って排出される脱硫排水が供給される反応槽と、当該反応槽において薬剤が添加された前記脱硫排水が導入される沈殿槽とを有し、前記反応槽において前記脱硫排水に過酸化水素が添加され、前記反応槽において生成される析出物が前記沈殿槽において固液分離されるようにしている。
【００１２】
したがって、これらの脱硫排水の処理方法や脱硫排水の処理システムによると、過酸化水素とカルシウム塩とが関係する反応によって脱硫排水中のホウ素が析出して固液分離されることにより、脱硫排水中のホウ素が除去される。なお、石炭燃焼排ガスの脱硫処理に伴って排出される脱硫排水には、通常、カルシウム成分（具体的には例えば、硫酸カルシウム，炭酸カルシウム）が含まれている。
【００１３】
本発明の脱硫排水の処理方法や脱硫排水の処理システムは、前記脱硫排水にカルシウム塩が更に添加されるようにしても良い。この場合には、脱硫排水にカルシウムが補充されることになり、ホウ素が析出する反応が一層確実に十分に行われると共にフッ素が析出する反応が十分に行われる。
【００１４】
本発明の脱硫排水の処理方法や脱硫排水の処理システムは、前記脱硫排水に水酸化物が更に添加されるようにしても良い。この場合には、脱硫排水に水酸化物が補充されることになり、ホウ素が析出する反応が一層確実に十分に行われると共に重金属が析出する反応が十分に行われる。
【００１５】
本発明の脱硫排水の処理方法や脱硫排水の処理システムは、前記過酸化水素が、前記脱硫排水中のホウ素に対するモル比で１．０以上になるように添加されるようにしても良い。この場合には、脱硫排水中に十分な量の過酸化水素が存在することになり、ホウ素が析出する反応が良好に行われる。
【００１６】
本発明の脱硫排水の処理方法や脱硫排水の処理システムは、前記カルシウム塩が、前記脱硫排水中のホウ素に対するモル比で１．０以上になるように添加されるようにしても良い。この場合には、脱硫排水中に十分な量のカルシウム塩が存在することになり、ホウ素が析出する反応とフッ素が析出する反応とが良好に行われる。
【００１７】
本発明の脱硫排水の処理方法や脱硫排水の処理システムは、前記カルシウム塩として石炭燃焼排ガスの脱硫処理に伴って排出される石膏が用いられるようにしても良い。この場合には、石炭燃焼排ガスの脱硫処理における排出物としての石膏が有効利用されるので、石炭燃焼排ガスの脱硫処理に纏わる脱硫プロセス全体として投入される薬剤の量が抑制されると共に発生する汚泥の量が低減する。
【００１８】
本発明の脱硫排水の処理方法や脱硫排水の処理システムは、前記脱硫排水にカルシウムが溶存している状態で、前記カルシウム塩として水酸化カルシウム及び／又は水に溶解して水酸化カルシウムになる成分が添加されるようにしても良い。この場合には、ホウ素が析出する反応が効率良く行われる。
【００１９】
本発明の脱硫排水の処理方法や脱硫排水の処理システムは、前記カルシウムが前記脱硫排水中のホウ素に対するモル比で０．４以上溶存している状態にされるようにしても良い。この場合には、脱硫排水中に十分な量のカルシウムが予め存在することになり、ホウ素が析出する反応が一層効率良く行われる。
【００２０】
本発明の脱硫排水の処理方法や脱硫排水の処理システムは、前記水酸化物が、前記脱硫排水のｐＨが９以上になるように添加されるようにしても良い。この場合には、脱硫排水のｐＨが適切な範囲に調整されるので、ホウ素が析出する反応とフッ素が析出する反応とにとって適当な環境下でこれら反応が良好に行われる。
【発明の効果】
【００２１】
本発明の脱硫排水の処理方法や脱硫排水の処理システムによれば、過酸化水素を添加して過酸化水素とカルシウム塩とが関係する反応を生じさせることによって脱硫排水中のホウ素を析出させて分離することができるので、脱硫排水中のホウ素を除去することが可能になる。しかも、過酸化水素とカルシウム塩とを利用してホウ素を析出させる反応では、使用される薬剤の使用量を抑制すると共に汚泥の発生量を抑制することが可能になる。
【００２２】
本発明の脱硫排水の処理方法や脱硫排水の処理システムは、カルシウム塩が添加されるようにした場合には、ホウ素が析出する反応を一層確実に十分に行うことができると共にフッ素が析出する反応を十分に行うことができるので、一層高い除去率でホウ素を除去すると共にフッ素を除去することが可能になる。
【００２３】
本発明の脱硫排水の処理方法や脱硫排水の処理システムは、水酸化物が添加されるようにした場合には、ホウ素が析出する反応を一層確実に十分に行うことができると共に重金属が析出する反応を十分に行うことができるので、一層高い除去率でホウ素を除去すると共に重金属を除去することが可能になる。
【００２４】
本発明の脱硫排水の処理方法や脱硫排水の処理システムは、過酸化水素が対ホウ素モル比で１．０以上添加されるようにした場合には、ホウ素が析出する反応を良好に行うことができるので、一層高い除去率でホウ素を除去することが可能になる。
【００２５】
本発明の脱硫排水の処理方法や脱硫排水の処理システムは、カルシウム塩が対ホウ素モル比で１．０以上添加されるようにした場合には、ホウ素が析出する反応とフッ素が析出する反応とを良好に行うことができるので、一層高い除去率でホウ素を除去すると共にフッ素を除去することが可能になる。
【００２６】
本発明の脱硫排水の処理方法や脱硫排水の処理システムは、カルシウム塩として脱硫処理で排出される石膏が用いられるようにした場合には、石炭燃焼排ガスの脱硫処理に纏わる脱硫プロセス全体として投入される薬剤の量を抑制すると共に発生する汚泥の量を低減させることができるので、薬剤の準備や汚泥の処理にかかる費用を低減させることが可能になる。
【００２７】
本発明の脱硫排水の処理方法や脱硫排水の処理システムは、カルシウムを予め溶存させてから水酸化カルシウム及び／又は水に溶解して水酸化カルシウムになる成分が添加されるようにした場合には、ホウ素が析出する反応を効率良く行うことができるので、高い除去率でホウ素を除去することが可能になる。
【００２８】
本発明の脱硫排水の処理方法や脱硫排水の処理システムは、カルシウムが対ホウ素モル比で０．４以上溶存しているようにした場合には、ホウ素が析出する反応を一層効率良く行うことができるので、一層高い除去率でホウ素を除去することが可能になる。
【００２９】
本発明の脱硫排水の処理方法や脱硫排水の処理システムは、水酸化物がｐＨ９以上になるように添加されるようにした場合には、ホウ素が析出する反応とフッ素が析出する反応とにとって適当な環境下でこれら反応を良好に行うことができるので、ホウ素が析出する反応を一層良好に行って一層高い除去率でホウ素を除去すると共にフッ素が析出する反応を行ってフッ素を除去することが可能になる。
【図面の簡単な説明】
【００３０】
【図１】本発明の脱硫排水の処理方法及び処理システムの実施形態の一例の処理工程を説明する図である。
【発明を実施するための形態】
【００３１】
以下、本発明の構成を図面に示す実施の形態の一例に基づいて詳細に説明する。なお、以下の説明では、元素記号や分子式・化学組成などを［  ］で括って表記し、また、単位を〔  〕で括って表記する。
【００３２】
図１に、本発明の脱硫排水の処理方法及び処理システムの実施形態の一例を示す。
【００３３】
本発明では、脱硫排水が処理対象とされる。具体的には例えば、石炭火力発電所のボイラからの排煙（言い換えると、石炭燃焼排ガス）に対して脱硫装置によって施される硫黄酸化物の除去処理（即ち、脱硫処理）に伴って前記脱硫装置から排出される脱硫排水が処理対象（即ち、被処理水）とされる。
【００３４】
脱硫排水には、ホウ素，フッ素，及び重金属、並びに、化学的酸素要求量の原因となる成分（「ＣＯＤ成分」と呼ぶ）が含まれている。
【００３５】
本実施形態では、脱硫装置（図示省略）から排出された脱硫排水１が処理対象として用いられる場合を例に挙げて説明する。
【００３６】
本実施形態の脱硫排水の処理方法は、石炭燃焼排ガスの脱硫処理に伴って排出される脱硫排水１に過酸化水素が添加されて生成される析出物が固液分離されるようにしている。
【００３７】
本実施形態の脱硫排水の処理システムは、石炭燃焼排ガスの脱硫処理に伴って排出される脱硫排水１が供給される反応槽２と、当該反応槽２において薬剤が添加された脱硫排水１が供給されて凝集剤が投入される凝集槽３と、反応槽２において薬剤が添加されると共に凝集槽３において凝集剤が投入された脱硫排水１が導入される沈殿槽４とを有し、反応槽２において脱硫排水１に過酸化水素が添加され、反応槽２において生成される析出物が凝集槽３において凝集されて沈殿槽４において固液分離されるようにしている。
【００３８】
本発明では、脱硫排水１中に過酸化水素［Ｈ2Ｏ2］を存在させることによってホウ素［Ｂ］を析出させて分離して除去する。
【００３９】
本実施形態では、さらに、脱硫排水１中にカルシウム［Ｃａ］塩を存在させることによってフッ素［Ｆ］を析出させて分離して除去すると共に、水酸化物を存在させることによって重金属を析出させて分離して除去するようにしている。
【００４０】
反応槽２では、ホウ素（オルトホウ酸［Ｈ3ＢＯ3］）と過酸化水素［Ｈ2Ｏ2］との反応物（ペルオキソホウ酸（過ホウ酸））がカルシウムイオン［Ｃａ2+］と反応し、析出物としてペルオキソホウ酸（過ホウ酸）とカルシウムとの化合物が生成される。ペルオキソホウ酸（過ホウ酸）とカルシウムとの反応の態様は複数あると考えられ、例えば以下の化学式１で表される反応が生じていると考えられる。なお、Ｃａ[Ｂ(ＯＨ)2(ＯＯ)2Ｂ(ＯＨ)2] は、ペルオキソホウ酸（過ホウ酸）とカルシウムとの化合物であり、沈殿する。
（化１）  ２Ｈ3ＢＯ3＋２ＯＨ-＋２Ｈ2Ｏ2＋Ｃａ2+ → Ｃａ[Ｂ(ＯＨ)2(ＯＯ)2Ｂ(ＯＨ)2]＋４Ｈ2Ｏ
【００４１】
過酸化水素［Ｈ2Ｏ2］の量は、脱硫排水１に含まれているホウ素の含有量（言い換えると、脱硫排水１のホウ素濃度）に応じて調整され得る。反応槽２において脱硫排水１中に存在する過酸化水素［Ｈ2Ｏ2］の量は、具体的には例えば、ホウ素［Ｂ］に対するモル比［Ｈ2Ｏ2］／［Ｂ］で、０．８以上であることが好ましく、１．０以上であることが一層好ましい。
【００４２】
カルシウム［Ｃａ］塩の量は、脱硫排水１に含まれているホウ素の含有量（言い換えると、脱硫排水１のホウ素濃度）に応じて調整され得る。反応槽２において脱硫排水１中に存在するカルシウム［Ｃａ］の量は、具体的には例えば、ホウ素［Ｂ］に対するモル比［Ｃａ］／［Ｂ］で、０．５４以上であることが好ましく、１．０以上であることが一層好ましい。
【００４３】
カルシウム塩については、脱硫装置から排出される脱硫排水１に元より含まれているものが用いられるようにしても良く（尚、石炭火力発電所のボイラから排出される石炭燃焼排ガスに対する脱硫処理に伴って排出される脱硫排水には、通常、カルシウム成分が含まれている）、或いは、例えば元より含まれている量が上述のカルシウム塩の好ましい量に対して不足する場合にはカルシウム塩が追加的に添加されるようにしても良い。
【００４４】
追加的に添加される場合のカルシウム塩（言い換えると、カルシウム化合物）としては、具体的には例えば、塩化カルシウム［ＣａＣｌ2］，硫酸カルシウム［ＣａＳＯ4］，水酸化カルシウム（消石灰）［Ｃａ(ＯＨ)2］，酸化カルシウム（生石灰）［ＣａＯ］，炭酸カルシウム（石灰石）［ＣａＣＯ3］などが用いられ得る。
【００４５】
追加的に添加される場合のカルシウム塩として、脱硫装置による脱硫処理に伴って生成されて排出される石膏［ＣａＳＯ4・２Ｈ2Ｏ］（「脱硫石膏」とも呼ばれる；例えば、石膏スラリーとして排出される）が利用されるようにしても良い。具体的には例えば、石炭火力発電所のボイラから排出される石炭燃焼排ガスを石灰石膏法で脱硫処理する際に生成されて排出される脱硫石膏が利用され得る。なお、追加的に添加される脱硫石膏は、処理対象の脱硫排水１を排出した脱硫装置から排出されたものであっても良く、或いは、処理対象の脱硫排水１を排出した脱硫装置とは異なる脱硫装置から排出されたものであっても良い。
【００４６】
反応槽２では、また、フッ素［Ｆ］とカルシウム［Ｃａ］塩とによって以下の化学式２で表される反応が生じ、析出物としてフッ化カルシウム［ＣａＦ2］が生成される。なお、フッ化カルシウムの生成反応は、ｐＨが中性域において特に良好に生じると共にアルカリ性域において良好に生じ、このため、脱硫装置から排出された脱硫排水１のｐＨが１〜２程度である場合にはその状態のままでは生じ難い。
（化２）  ２Ｆ-＋Ｃａ2+ → ＣａＦ2
【００４７】
したがって、本発明では、脱硫排水１中にカルシウム塩が存在することにより、化学式１で表されるホウ素の析出（即ち、ペルオキソホウ酸とカルシウムとの化合物の生成反応）が行われると共に化学式２で表されるフッ素の析出（即ち、フッ化カルシウムの生成反応）が行われ、脱硫排水１からホウ素に加えてフッ素が分離除去される。
【００４８】
そこで、化学式１で表されるホウ素の析出が十分に行われるようにすることに加えて化学式２で表されるフッ素の析出が十分に行われるようにするために脱硫排水１へとカルシウム塩が追加的に添加されるようにしても良い。
【００４９】
また、脱硫排水１中に水酸化物が存在するようにすることにより、反応槽２では、金属［Ｍ］と水酸化物とによって以下の化学式３で表される反応が生じ、析出物として金属水酸化物［Ｍ(ＯＨ)2 等］が生成される。
（化３）  Ｍ2+＋２ＯＨ- → Ｍ(ＯＨ)2
【００５０】
したがって、本発明では、脱硫排水１中に水酸化物が存在することにより、化学式１で表されるホウ素の析出（即ち、ペルオキソホウ酸とカルシウムとの化合物の生成反応）が行われると共に化学式３で表される重金属の析出（即ち、金属水酸化物の生成反応）が行われ、脱硫排水１からホウ素に加えて重金属が分離除去される。
【００５１】
そこで、脱硫排水１のｐＨを調整すると共に化学式１で表されるホウ素の析出が十分に行われるようにすることに加えて化学式３で表される重金属の析出が十分に行われるようにするために脱硫排水１へと水酸化物が添加されるようにしても良い。
【００５２】
水酸化物（言い換えると、ｐＨ調整剤）としては、水酸化物イオン［ＯＨ-］を生成するアルカリ性のものが用いられ、具体的には例えば、水酸化ナトリウム（苛性ソーダ）［ＮａＯＨ］，水酸化カルシウム（消石灰）［Ｃａ(ＯＨ)2］，水酸化カリウム［ＫＯＨ］などが用いられ得る。
【００５３】
なお、水酸化カルシウムは、化学式２で表されるフッ素の析出（即ち、フッ化カルシウムの生成反応）に利用されるカルシウム塩として機能し得ると共に化学式３で表される重金属の析出（即ち、金属水酸化物の生成反応）に利用される水酸化物（ｐＨ調整剤）としても機能し得るので、カルシウム塩と水酸化物とを兼ねるものとして用いられ得る。
【００５４】
アルカリ性の水酸化物が添加されることにより、脱硫排水１のｐＨが９〜１２程度になるように調整される（即ち、ｐＨの程度の調整に応じて水酸化物の添加量が調整される）ことが好ましく、ｐＨが１０．５〜１１．５程度になるように調整されることが一層好ましく、ｐＨが１１程度になるように調整されることが更に好ましい。反応槽２における脱硫排水１のｐＨが９未満の場合にはホウ素に関係する反応が良好に行われない虞があり、一方で、ｐＨが１０．５〜１１．５程度の場合には前記反応が良好に行われて脱硫排水１の処理効率が高くなり、ｐＨが１１程度の場合に前記反応が一層良好に行われて脱硫排水１の処理効率が更に高くなる。
【００５５】
本発明において薬剤（具体的には、過酸化水素，追加的に添加される場合のカルシウム塩，水酸化物）が添加される順序は特定の順序には制限されない。具体的には例えば、過酸化水素，追加的に添加される場合のカルシウム塩，及び水酸化物の全てが同時に添加されるようにしても良く、或いは、過酸化水素がまず添加されてから追加的に添加される場合にはカルシウム塩が次に添加されて更に水酸化物が続いて添加されるようにしたり、過酸化水素及び追加的に添加される場合のカルシウム塩が同時に添加されてから水酸化物が次に添加されるようにしたりしても良い。
【００５６】
なお、脱硫排水には通常は鉄［Ｆｅ］などの金属イオンが含まれており、金属イオン濃度が高い場合には過酸化水素［Ｈ2Ｏ2］が分解されてしまうことがあり得る。このため、脱硫排水１へと過酸化水素が添加（言い換えると、投入）される前に水酸化物が添加（投入）されて脱硫排水１に含まれる鉄などの重金属が除去（言い換えると、析出させられて分離）されることにより、金属粒子による過酸化水素の分解が意図的に抑制されるようにしても良い。ただし、発明者の知見によると、脱硫装置実機から排出される脱硫排水に通常含まれる程度の金属イオンによる過酸化水素の分解は僅かであってホウ素除去効率に与える影響は小さい。
【００５７】
反応槽２において脱硫排水１が必要に応じて攪拌機２ａによって攪拌混合された後、一次処理排水１ａとして凝集槽３へと供給される。
【００５８】
凝集槽３では、高分子凝集剤等の凝集剤が一次処理排水１ａへと投入されて析出物が凝集させられる。
【００５９】
凝集剤としては、具体的には例えば、アニオン系高分子凝集剤，カチオン系高分子凝集剤，ノニオン系高分子凝集剤などが用いられ得る。
【００６０】
凝集槽３において凝集剤が投入された一次処理排水１ａが必要に応じて攪拌機３ａによって攪拌混合された後、二次処理排水１ｂとして沈殿槽４へと導入される。
【００６１】
沈殿槽４では、二次処理排水１ｂが静置されて二次処理排水１ｂ中の固形物が分離される（即ち、上澄水と沈殿した固形物とに分離される）。
【００６２】
沈殿槽４における固液分離によって沈降分離された固形物は汚泥５として排出される。これにより、ホウ素，フッ素，及び重金属が、それぞれ固形物（即ち、汚泥５）として沈殿して分離され、脱硫排水１中から除去されることになる。
【００６３】
なお、上澄水６は、例えば、必要に応じてＣＯＤ成分の除去処理が更に施された上で排水（言い換えると、放流）される。
【００６４】
以上のように構成された脱硫排水の処理方法及び処理システムによれば、過酸化水素を添加して過酸化水素とカルシウム塩とが関係する反応を生じさせることによって脱硫排水１中のホウ素を析出させて分離することができるので、脱硫排水１中のホウ素を除去することが可能になる。しかも、過酸化水素とカルシウム塩とを利用してホウ素を析出させる反応では、使用される薬剤の使用量を抑制すると共に汚泥の発生量を抑制することが可能になる。
【００６５】
以上のように構成された脱硫排水の処理方法及び処理システムによれば、また、ホウ素を析出させる反応のために過酸化水素と共に利用されるカルシウム塩によってフッ素を析出させる反応を生じさせたり、ホウ素を析出させる反応（また、脱硫排水１のｐＨの調整）のために過酸化水素と共に利用される水酸化物によって重金属を析出させる反応を生じさせたりすることができるので、脱硫排水１の処理に使用される薬剤の使用量を抑制すると共に汚泥の発生量を抑制しつつ脱硫排水１中のホウ素に加えてフッ素及び重金属を分離除去することが可能になる。
【００６６】
なお、上述の実施形態は本発明を実施する際の好適な形態の一例ではあるものの本発明の実施の形態が上述のものに限定されるものではなく、本発明の要旨を逸脱しない範囲において本発明は種々変形実施可能である。
【００６７】
例えば、上述の実施形態では凝集槽３において高分子凝集剤等の凝集剤が使用されて析出物・固形物の沈降速度が加速させられるようにしているが、凝集槽３を有するようにしたり凝集剤が使用されるようにしたりすることは本発明において必須の構成ではない。さらに言えば、上述の実施形態では沈降分離によって析出物・固形物の固液分離が行われるようにしているが、固液分離の手法として沈降分離が用いられるようにすることは本発明において必須の構成ではなく、例えばろ過や遠心分離などによって固液分離が行われるようにしても良い。
【００６８】
また、上述の実施形態では反応槽２において（言い換えると、一つの反応槽において）脱硫排水１中に過酸化水素，カルシウム塩，及び水酸化物（ｐＨ調整剤）を存在させるようにして反応槽２において（言い換えると、一つの反応槽において）化学式１乃至３でそれぞれ表される反応を生じさせるようにしているが、複数の反応槽が用いられるようにしても良い。例えば、第一の反応槽において脱硫排水１中に過酸化水素を存在させるようにして化学式１で表される反応を生じさせ、第一の反応槽から脱硫排水１が供給される第二の反応槽において脱硫排水１中にカルシウム塩を存在させるようにして化学式２で表される反応を生じさせ、さらに、第二の反応槽から脱硫排水１が供給される第三の反応槽において脱硫排水１中に水酸化物を存在させるようにして化学式３で表される反応を生じさせるようにしても良く、或いは、前段の反応槽において脱硫排水１中に過酸化水素及びカルシウム塩を存在させるようにして化学式１で表される反応及び化学式２で表される反応を生じさせ、さらに、前段の反応槽から脱硫排水１が供給される後段の反応槽において脱硫排水１中に水酸化物を存在させるようにして化学式３で表される反応を生じさせるようにしても良い。なお、複数の反応槽が用いられる場合の、薬剤（具体的には、過酸化水素，追加的に添加される場合のカルシウム塩，及び水酸化物）が添加される順序は特定の順序に制限されるものではなく、また、各反応槽で添加される薬剤の組み合わせも特定の組み合わせに限定されるものではない。
【実施例１】
【００６９】
本発明の脱硫排水の処理方法の効果を検証した実施例を説明する。
【００７０】
本実施例では、純水にオルトホウ酸［Ｈ3ＢＯ3］を溶解させてホウ素濃度５００〔ｍｇ−Ｂ／Ｌ〕に調整された０．６〔Ｌ〕の模擬排水が用いられた。具体的には表１に示す組成の模擬排水が用いられた。
【００７１】
【表１】
2018130717.tif 000002
【００７２】
上記の模擬排水に過酸化水素［Ｈ2Ｏ2］及び塩化カルシウム［ＣａＣｌ2］が添加されると共に、水酸化ナトリウム（苛性ソーダ）［ＮａＯＨ］が用いられてｐＨ１１になるように調整された。
【００７３】
本実施例では、過酸化水素［Ｈ2Ｏ2］が、模擬排水中のホウ素［Ｂ］に対するモル比［Ｈ2Ｏ2］／［Ｂ］で０．８〜２．０の範囲で変化させられて添加された。
【００７４】
本実施例では、また、塩化カルシウムが、模擬排水中のホウ素［Ｂ］に対するカルシウム［Ｃａ］のモル比［Ｃａ］／［Ｂ］＝０．６６の条件で添加された。
【００７５】
上記の薬剤が添加された模擬排水が、まず、１００〔ｒｐｍ〕で５分間攪拌された後に３０〔ｒｐｍ〕で１５分間攪拌された。
【００７６】
そして、攪拌を停止して１時間静置した後の上澄みが採取され、塩化水素（塩酸）［ＨＣｌ］でｐＨが中性に調整された後、０．２〔μｍ〕の酢酸セルロース膜でろ過を行った試料（即ち、ろ液）のホウ素濃度が測定された。
【００７７】
上記条件での実験の結果、表２に示す結果が得られた。
【００７８】
【表２】
2018130717.tif 000003
【００７９】
表２に示す結果から、本発明の脱硫排水の処理方法によれば、添加される過酸化水素［Ｈ2Ｏ2］の量がホウ素［Ｂ］に対するモル比［Ｈ2Ｏ2］／［Ｂ］で０．８以上であれば、海域での排水基準である２３０〔ｍｇ−Ｂ／Ｌ〕を下回る２００〔ｍｇ／Ｌ〕以下までホウ素濃度を低減させることが可能であることが確認された。特に、添加される過酸化水素［Ｈ2Ｏ2］の量がホウ素［Ｂ］に対するモル比［Ｈ2Ｏ2］／［Ｂ］で１．０以上であれば、ホウ素の除去率で６０％超を達成して１８０〔ｍｇ／Ｌ〕以下までホウ素濃度を低減させることが可能であることが確認された。
【実施例２】
【００８０】
本発明の脱硫排水の処理方法の効果を検証した他の実施例を説明する。
【００８１】
本実施例でも、上述の実施例１で用いられた模擬排水の組成と同様の組成の模擬排水が用いられた。
【００８２】
本実施例では、模擬排水に過酸化水素［Ｈ2Ｏ2］及び塩化カルシウム［ＣａＣｌ2］が添加されると共に、水酸化ナトリウム（苛性ソーダ）［ＮａＯＨ］が用いられてｐＨ１１になるように調整された。
【００８３】
本実施例では、過酸化水素［Ｈ2Ｏ2］が、模擬排水中のホウ素［Ｂ］に対するモル比［Ｈ2Ｏ2］／［Ｂ］＝１．２の条件で添加された。
【００８４】
本実施例では、また、塩化カルシウムが、模擬排水中のホウ素［Ｂ］に対するカルシウム［Ｃａ］のモル比［Ｃａ］／［Ｂ］で０〜１．４６の範囲で変化させられて添加された。なお、カルシウムの添加量が「０」の場合は、模擬排水に元より含まれているカルシウムが利用されることになる。模擬排水に元より含まれているカルシウム［Ｃａ］濃度は、模擬排水中のホウ素［Ｂ］に対するモル比［Ｃａ］／［Ｂ］で０．５４であった。
【００８５】
薬剤添加後の模擬排水の攪拌，ｐＨの調整，及びろ過に関する態様は、上述の実施例１と同様とされた。
【００８６】
上記条件での実験の結果、表３に示す結果が得られた。
【００８７】
【表３】
2018130717.tif 000004
【００８８】
表３に示す結果から、本発明の脱硫排水の処理方法によれば、カルシウム塩が追加的に添加されなくても、すなわち、脱硫排水に元より含まれているカルシウムのみによっても（本実施例では、模擬排水に元より含まれているカルシウム［Ｃａ］は、模擬排水中のホウ素［Ｂ］に対するモル比［Ｃａ］／［Ｂ］で０．５４）、海域での排水基準である２３０〔ｍｇ−Ｂ／Ｌ〕以下までホウ素濃度を低減させることが可能であることが確認された。また、追加的に添加されるカルシウムの量がホウ素［Ｂ］に対するモル比［Ｃａ］／［Ｂ］で０．４６以上（即ち、模擬排水中のカルシウム［Ｃａ］の存在量としては、ホウ素［Ｂ］に対するモル比［Ｃａ］／［Ｂ］で１．０以上）であれば、ホウ素の除去率で７０％を達成して１５０〔ｍｇ／Ｌ〕以下までホウ素濃度を低減させることが可能であることが確認された。
【実施例３】
【００８９】
本発明の脱硫排水の処理方法の効果を検証した更に他の実施例を説明する。
【００９０】
本実施例でも、上述の実施例１で用いられた模擬排水の組成と同様の組成の模擬排水が用いられた。
【００９１】
本実施例では、模擬排水に過酸化水素［Ｈ2Ｏ2］及び石膏［ＣａＳＯ4・２Ｈ2Ｏ］が添加されると共に、水酸化ナトリウム（苛性ソーダ）［ＮａＯＨ］が用いられてｐＨ１１になるように調整された。
【００９２】
本実施例では、過酸化水素［Ｈ2Ｏ2］が、模擬排水中のホウ素［Ｂ］に対するモル比［Ｈ2Ｏ2］／［Ｂ］＝１．２の条件で添加された。
【００９３】
本実施例では、また、石膏［ＣａＳＯ4・２Ｈ2Ｏ］が６．０〔ｇ〕添加された。
【００９４】
薬剤添加後の模擬排水の攪拌，ｐＨの調整，及びろ過に関する態様は、上述の実施例１と同様とされた。
【００９５】
上記条件での実験の結果、表４に示す結果が得られた。
【００９６】
【表４】
2018130717.tif 000005
【００９７】
表４に示す結果から、本発明の脱硫排水の処理方法によれば、石膏が添加されることによっても、つまり添加されるカルシウム塩として例えば石炭燃焼排ガスの脱硫処理に伴って排出される石膏（脱硫石膏）が用いられるようにしても、ホウ素濃度を低減させる（本実施例では具体的には、海域での排水基準である２３０〔ｍｇ−Ｂ／Ｌ〕を下回る１９０〔ｍｇ／Ｌ〕以下まで低減させる）ことが可能であることが確認された。
【実施例４】
【００９８】
本発明の脱硫排水の処理方法の効果を検証したまた更に他の実施例を説明する。
【００９９】
本実施例では、純水にオルトホウ酸［Ｈ3ＢＯ3］を溶解させてホウ素濃度５００〔ｍｇ／Ｌ〕に調整された０．６〔Ｌ〕のホウ酸溶液（尚、模擬排水ではない）が用いられた。
【０１００】
本実施例では、上記のホウ酸溶液に、塩化カルシウム［ＣａＣｌ2］が、ホウ酸溶液中のホウ素［Ｂ］に対するカルシウム［Ｃａ］のモル比［Ｃａ］／［Ｂ］で０〜１．２の範囲に亙って０．２刻みで変化させられて添加された。
【０１０１】
本実施例では、次に、過酸化水素［Ｈ2Ｏ2］が、ホウ酸溶液中のホウ素［Ｂ］に対するモル比［Ｈ2Ｏ2］／［Ｂ］＝１．２の条件で添加された。
【０１０２】
本実施例では、次に、水酸化カルシウム（消石灰）［Ｃａ(ＯＨ)2］が、ホウ酸溶液中のホウ素［Ｂ］に対するカルシウム［Ｃａ］のモル比［Ｃａ］／［Ｂ］＝１．２の条件で添加された。
【０１０３】
続いて、水酸化ナトリウム（苛性ソーダ）［ＮａＯＨ］が用いられて溶液のｐＨが１０〜１１になるように調整された。
【０１０４】
上記の薬剤が添加された溶液が、まず、１００〔ｒｐｍ〕で５分間攪拌された後に３０〔ｒｐｍ〕で１５分間攪拌された。
【０１０５】
そして、攪拌を停止して１時間静置した後の上澄みが採取され、塩化水素（塩酸）［ＨＣｌ］でｐＨが中性に調整された後、０．２〔μｍ〕の酢酸セルロース膜でろ過を行った試料（即ち、ろ液）のホウ素濃度が測定された。
【０１０６】
上記条件での実験の結果、表５に示す結果が得られた。
【０１０７】
【表５】
2018130717.tif 000006
【０１０８】
表５に示す結果から、水酸化カルシウム（消石灰）［Ｃａ(ＯＨ)2］を添加する前の処理対象水中にカルシウム［Ｃａ］を溶存させることにより、ホウ素［Ｂ］の処理性能（別言すると、除去性能）が向上することが確認された。具体的には、Ｃａ(ＯＨ)2を添加する前の溶存Ｃａ濃度をホウ素に対するモル比［Ｃａ］／［Ｂ］で０．４以上とすることにより、海域での排水基準である２３０〔ｍｇ／Ｌ〕以下までホウ素濃度を低減させることが可能であることが確認された。特に、Ｃａ(ＯＨ)2を添加する前の溶存Ｃａ濃度をホウ素に対するモル比［Ｃａ］／［Ｂ］で０．８程度とすることにより、ホウ素の除去率で６０％超を達成して１８０〔ｍｇ／Ｌ〕程度までホウ素濃度を効率良く低減させることが可能であることが確認された。
【０１０９】
つまり、脱硫排水へと添加されるカルシウム塩として水酸化カルシウムや水に溶解して水酸化カルシウムになる成分（言い換えると、水酸化カルシウムと水に溶解して水酸化カルシウムになる成分とのうちの少なくとも一方）が使用される場合には、水酸化カルシウムや水に溶解して水酸化カルシウムになる成分が添加される前に処理対象水中にカルシウムを予め／事前に溶存させることにより、脱硫排水中のホウ素を効率良く析出させて分離することができ、脱硫排水中のホウ素の除去性能を向上させることが可能であることが確認された。
【０１１０】
また、本実施例の場合（即ち、水酸化カルシウムや水に溶解して水酸化カルシウムになる成分が添加される前に処理対象水中にカルシウムを予め／事前に溶存させるようにしてホウ素を析出させる場合）は、上述の実施例１乃至実施例３の場合と比べて析出物の量が減少する傾向があることが確認された。したがって、石炭燃焼排ガスの脱硫処理に伴って排出される脱硫排水の処理へと本実施例における手順が実際に適用された場合には、沈殿物（別言すると、廃棄物）の発生量を一層抑制することが可能であることが知見された。
【０１１１】
ここで、石炭燃焼排ガスの脱硫処理に伴って排出される脱硫排水には、通常、カルシウム成分（具体的には例えば、硫酸カルシウム，炭酸カルシウム）が含まれているところ、脱硫排水の処理へと本実施例における手順が実際に適用される場合には、実際の脱硫排水に元より溶存しているカルシウムを含めた上で（言い換えると、実際の脱硫排水に元より溶存しているカルシウム濃度が計測された上で）溶存カルシウム濃度がホウ素に対するモル比［Ｃａ］／［Ｂ］で０．４以上（尚、０．８程度が好ましい）になるように調整される。
【０１１２】
なお、上述の実施例４では過酸化水素がホウ酸溶液中のホウ素に対するモル比［Ｈ2Ｏ2］／［Ｂ］＝１．２の条件で添加されるようにしているが、実施例１乃至実施例３の結果や本発明に関連して発明者が得た知見を踏まえると前記モル比［Ｈ2Ｏ2］／［Ｂ］で１．０程度であっても大凡同等の結果が得られると考えられ、したがって、過酸化水素は溶液中のホウ素に対するモル比［Ｈ2Ｏ2］／［Ｂ］で１．０以上になるように添加されることが好ましい。
【０１１３】
また、上述の実施例４では脱硫排水へと添加されるカルシウム塩としての水酸化カルシウムがホウ酸溶液中のホウ素に対するカルシウムのモル比［Ｃａ］／［Ｂ］＝１．２の条件で添加されるようにしているが、実施例１乃至実施例３の結果や本発明に関連して発明者が得た知見を踏まえると前記モル比［Ｃａ］／［Ｂ］で１．０程度であっても大凡同等の結果が得られると考えられ、したがって、カルシウム塩としての水酸化カルシウム（尚、水に溶解して水酸化カルシウムになる成分を含む）は溶液中のホウ素に対するモル比［Ｃａ］／［Ｂ］で１．０以上になるように添加されることが好ましい。
【０１１４】
また、上述の実施例４では脱硫排水へと添加される水酸化物として水酸化ナトリウムが用いられて溶液のｐＨが１０〜１１に調整されるようにしているが、実施例１乃至実施例３の結果や本発明に関連して発明者が得た知見を踏まえると溶液のｐＨが９程度であっても大凡同等の結果が得られると考えられ、したがって、水酸化物を添加する場合は溶液のｐＨが９以上になるように水酸化物が添加されることが好ましい。
【０１１５】
また、上述の実施例４ではホウ酸溶液に溶存カルシウムとしての塩化カルシウムが添加されてから過酸化水素が添加されると共にカルシウム塩としての水酸化カルシウムが添加されるようにしているが、カルシウム塩としての水酸化カルシウム（尚、水に溶解して水酸化カルシウムになる成分を含む）が添加される前にカルシウムが予め溶存していれば、言い換えると、処理対象水中にカルシウムが溶存している状態で水酸化カルシウム（尚、水に溶解して水酸化カルシウムになる成分を含む）が添加されるのであれば、薬剤が添加される順序は実施例４における順序には限定されない。具体的には例えば、過酸化水素がまず添加されてから溶存カルシウムとしての塩化カルシウムが次に溶存させられて更にカルシウム塩としての水酸化カルシウム（尚、水に溶解して水酸化カルシウムになる成分を含む）が続いて添加されるようにしても良く、或いは、溶存カルシウムとしての塩化カルシウムがまず溶存させられてから過酸化水素及びカルシウム塩としての水酸化カルシウム（尚、水に溶解して水酸化カルシウムになる成分を含む）が次に同時に添加されるようにしても良い。
【符号の説明】
【０１１６】
１    脱硫排水
２    反応槽
３    凝集槽
４    沈殿槽
５    汚泥
６    上澄水
【図１】
2018130717.tif 000007